(57)【特許請求の範囲】
【請求項１】
第１電極と、
第２電極と、
前記第１電極及び前記第２電極を接続する場合、前記第２電極に形成される支軸を中心に接点が前記第１電極と接するように回動し、前記第１電極及び前記第２電極を遮断する場合、前記支軸を中心に前記接点が前記第１電極から離れるように回動する導電板と、
前記導電板の前記第１電極と対向する面とは反対側の面において、摘み部が前記導電板の前記支軸とは反対側の先端よりも突出するように設けられる絶縁性の操作板と、
を有する開閉器の前記操作板に装着される開閉器操作用アダプタであって、
前記摘み部を覆うように、前記摘み部の前記第１電極に対向する面に沿って延伸する第１延伸部と、前記摘み部の前記第１電極とは反対側の面に沿って、前記第１延伸部から連続して延伸する第２延伸部と、を有する操作板挟持部と、
前記操作板を操作するために、前記第２延伸部の前記支軸とは反対側において突出する操作片と、
を有することを特徴とする開閉器操作用アダプタ。
【請求項２】
請求項１に記載の開閉器操作用アダプタであって、
前記操作片は、前記第１電極から遠ざかる方向に突出すると共に、前記支軸から遠ざかる方向に屈曲するように形成されている
ことを特徴とする開閉器操作用アダプタ。
【請求項３】
請求項１に記載の開閉器操作用アダプタであって、
前記操作片は、前記第１電極から遠ざかるにつれて前記支軸からも遠ざかる方向に突出するように形成されている
ことを特徴とする開閉器操作用アダプタ。
【請求項４】
請求項１〜３のいずれかに記載の開閉器操作用アダプタであって、
前記操作片は、先端部に近づくほど太くなる部分を有するように形成されている
ことを特徴とする開閉器操作用アダプタ。
【請求項５】
請求項１〜４のいずれかに記載の開閉器操作用アダプタであって、
前記第２延伸部の先端部は、前記第１延伸部の先端部よりも、前記支軸に近接するように形成されている
ことを特徴とする開閉器操作用アダプタ。
【請求項６】
請求項１〜５のいずれかに記載の開閉器操作用アダプタであって、
前記第２延伸部の前記摘み部と対面する面に、前記第２延伸部の先端部に近づくほど前記摘み部から遠ざかるような傾斜面が形成されている
ことを特徴とする開閉器操作用アダプタ。
【発明の詳細な説明】
【技術分野】
【０００１】
本発明は、開閉器操作用アダプタに関する。
【背景技術】
【０００２】
工場や発電所などでは様々な電力使用機器が稼動している。そして、例えば電力使用機器の定期点検を行う場合などのように、電力使用機器への電力供給を遮断しなければならないことがある。  
このような場合、電源と電力使用機器との間の電力供給路上に設置されているセクションスイッチなどの開閉器を操作することにより、電力使用機器への電力供給を遮断することができる。  
そして、このような開閉器を操作する際の作業者の安全性を向上するために、様々な技術が開発されている（例えば特許文献１参照）。
【先行技術文献】
【特許文献】
【０００３】
【特許文献１】特開２００２−３７４６０５号公報
【発明の概要】
【発明が解決しようとする課題】
【０００４】
工場や発電所などでは、電力使用機器の種類や電力消費量あるいは設置時期等に応じて、様々な種類の開閉器が使用されている。  
例えば、比較的新しく設置された開閉器では、電源に接続された電極等の充電部が露出しないようにカバー等で覆われており、作業者が開閉器の操作レバーを操作する際に誤って手や指が充電部に触れないような安全対策が施されている。その一方で、そのような安全対策が施されていない比較的古い開閉器も混在して使用されている。  
このような安全対策が施されていない比較的古い開閉器は、安全対策が施された開閉器に順次交換されているが、開閉器の数が膨大な場合などのように、全ての開閉器を同時に交換することが現実的でない場合もある。  
そのため、充電部が露出したタイプの開閉器の操作を行なう場合であっても、安全に作業を行なうことを可能にするための技術が求められている。
【０００５】
本発明は上記課題を鑑みてなされたものであり、充電部が露出した開閉器の操作を行なう場合であっても、安全に作業を行なうことを可能にすることを一つの目的とする。
【課題を解決するための手段】
【０００６】
一つの側面に係る開閉器操作用アダプタは、第１電極と、第２電極と、前記第１電極及び前記第２電極を接続する場合、前記第２電極に形成される支軸を中心に接点が前記第１電極と接するように回動し、前記第１電極及び前記第２電極を遮断する場合、前記支軸を中心に前記接点が前記第１電極から離れるように回動する導電板と、前記導電板の前記第１電極と対向する面とは反対側の面において、摘み部が前記導電板の前記支軸とは反対側の先端よりも突出するように設けられる絶縁性の操作板と、を有する開閉器の前記操作板に装着される開閉器操作用アダプタであって、前記摘み部を覆うように、前記摘み部の前記第１電極に対向する面に沿って延伸する第１延伸部と、前記摘み部の前記第１電極とは反対側の面に沿って、前記第１延伸部から連続して延伸する第２延伸部と、を有する操作板挟持部と、前記操作板を操作するために、前記第２延伸部の前記支軸とは反対側において突出する操作片と、を有する。
【０００７】
その他、本願が開示する課題、及びその解決方法は、発明を実施するための形態の欄の記載、及び図面の記載等により明らかにされる。
【発明の効果】
【０００８】
充電部が露出した開閉器の操作を行なう場合であっても、安全に作業を行なうことができる。
【図面の簡単な説明】
【０００９】
【図１】セクションスイッチ操作用アダプタの外観図である。
【図２Ａ】セクションスイッチ操作用アダプタの側面図である。
【図２Ｂ】セクションスイッチ操作用アダプタの正面図である。
【図２Ｃ】セクションスイッチ操作用アダプタの背面図である。
【図３】セクションスイッチの構成を示す図である。
【図４】セクションスイッチにセクションスイッチ操作用アダプタを装着した際の様子を示す図である。
【図５】セクションスイッチにセクションスイッチ操作用アダプタを装着して操作レバーを引き倒した際の様子を示す図である。
【図６】直立盤内にセクションスイッチが設けられる様子を示す図である。
【図７】直立盤内にセクションスイッチが設けられる様子を示す図である。
【図８】直立盤内にセクションスイッチが設けられる様子を示す図である。
【図９】セクションスイッチ操作用アダプタの外観図である。
【図１０Ａ】セクションスイッチ操作用アダプタの側面図である。
【図１０Ｂ】セクションスイッチ操作用アダプタの正面図である。
【図１０Ｃ】セクションスイッチ操作用アダプタの背面図である。
【図１１Ａ】セクションスイッチ操作用アダプタの側面図である。
【図１１Ｂ】セクションスイッチ操作用アダプタの正面図である。
【図１１Ｃ】セクションスイッチ操作用アダプタの背面図である。
【図１２】セクションスイッチ操作用アダプタの製造方法を示す図である。
【発明を実施するための形態】
【００１０】
本明細書および添付図面の記載により、少なくとも以下の事項が明らかとなる。
【００１１】
＝＝＝セクションスイッチ操作用アダプタ＝＝＝
本発明の実施形態に係るセクションスイッチ操作用アダプタ（開閉器操作用アダプタ）３００の外観構成例を図１に示す。またセクションスイッチ操作用アダプタ３００の側面図、正面図、背面図をそれぞれ図２Ａ、図２Ｂ、図２Ｃに示す。
【００１２】
なお図２Ａ、図２Ｂ、図２Ｃにおいて、Ｘ軸方向はセクションスイッチ操作用アダプタ３００の背面から正面に向かう向きであり、Ｙ軸方向はセクションスイッチ操作用アダプタ３００を正面視した場合に、左側面から右側面に向かう向きであり、Ｚ軸方向はセクションスイッチ操作用アダプタ３００の下面から上面に向かう向きである。また図３以降の他の図においても同様である。
【００１３】
図１及び図２に示すように、本実施形態に係るセクションスイッチ操作用アダプタ３００は、操作レバー挟持部（操作板挟持部）３１０と、連結部３２０と、操作片３３０と、を有して構成されている。
【００１４】
操作レバー挟持部３１０は、連結部３２０から二又に分岐するようにして略平行に延伸する第１延伸部３１１と第２延伸部３１２とを有して構成されている。
【００１５】
連結部３２０は、第１延伸部３１１と第２延伸部３１２とが連結される部位に構成される。つまり第１延伸部３１１及び第２延伸部３１２は、連結部３２０においてそれぞれの端部を連続させるように構成されている。
【００１６】
操作片３３０は、連結部３２０から突出するように構成されている。図１に示す例では、操作片３３０は第１延伸部３１１及び第２延伸部３１２の延伸方向（−Ｚ軸方向）とは異なる方向（−Ｘ軸方向）に突出している。また操作片３３０は、さらに先端部が、第２延伸部３１２の延伸方向とは逆方向（＋Ｚ方向）に屈曲している。
【００１７】
セクションスイッチ操作用アダプタ３００は、絶縁性を有する例えばポリエチレンテレフタレート等の樹脂を素材として構成される。
【００１８】
＝＝＝セクションスイッチ＝＝＝
次に、セクションスイッチ操作用アダプタ３００を装着して使用する本実施形態に係るセクションスイッチ（開閉器）１００の構成を、図３を参照しながら説明する。
【００１９】
本実施形態に係るセクションスイッチ１００は、電源と負荷（電力使用機器）との間の電力供給路上に設置され、負荷への電力の供給あるいは遮断を切り替えるための装置である。
【００２０】
セクションスイッチ１００は、電源接続端子（第１電極）１２０と、負荷接続端子（第２電極）１３０と、ブレード（導電板）１１０と、操作レバー（操作板）１４０と、を有して構成されている。
【００２１】
電源接続端子１２０は、電源接続端子台１２４と、クリップ１２１と、電源側ねじ１２２と、を有して構成されている。電源接続端子台１２４、クリップ１２１、及び電源側ねじ１２２は、導電性を有する例えば金属により構成されており、相互に導電可能に接続されている。
【００２２】
そして電源に接続される電源側ケーブル２１０の先端に装着されている電源側リング端子２１１を、電源側ねじ１２２を用いて電源接続端子台１２４に圧着することにより、電源接続端子１２０が電源に接続される。
【００２３】
一方、負荷接続端子１３０は、負荷接続端子台１３４と、ヒンジクリップ１３１と、負荷側ねじ１３２と、ヒンジ（支軸）１３３と、を有して構成されている。負荷接続端子台１３４、ヒンジクリップ１３１、負荷側ねじ１３２、及びヒンジ１３３は、導電性を有する例えば金属により構成されており、相互に導電可能に接続されている。
【００２４】
そして負荷（電力使用機器）に接続される負荷側ケーブル２２０の先端に装着されている負荷側リング端子２２１を、負荷側ねじ１３２を用いて負荷接続端子台１３４に圧着することにより、負荷接続端子１３０が負荷に接続される。
【００２５】
またヒンジクリップ１３１にはヒンジ１３３が形成されており、ヒンジ１３３にはブレード１１０が回動可能に接続されている。なお図３において、ヒンジ１３３はＹ軸方向を軸方向とするように形成されており、ブレード１１０はＸＺ平面に沿って回動する。
【００２６】
ブレード１１０は例えば金属製の導電板であり、クリップ１２１とヒンジクリップ１３１とを接続する場合には、ヒンジクリップ１３１に形成されるヒンジ１３３を中心に接点がクリップ１２１と接するように回動し、クリップ１２１とヒンジクリップ１３１とを遮断する場合には、ヒンジ１３３を中心に接点がクリップ１２１から離れるように回動する。つまりブレード１１０はヒンジ１３３を中心に回動し、クリップ１２１と接触あるいは遮断が可能なように、ヒンジクリップ１３１に装着されている。
【００２７】
このように、ブレード１１０が、ヒンジ１３３とクリップ１２１上の接点との間に延在するように設けられてヒンジ１３３を中心に回動することで、負荷接続端子１３０と電源接続端子１２０との間の導電路の断接が行われる。
【００２８】
操作レバー１４０は、ブレード１１０に接着剤等により装着される絶縁性を有する部材であり、ブレード１１０のクリップ１２１と対向する面とは反対側の面において、ブレード１１０のヒンジ１３３とは反対側の先端よりも摘み部が突出するように設けられている。図３に示す例では、操作レバー１４０は、ブレード１１０の延伸方向（図３ではＺ軸方向）に沿ってブレード１１０から延出するようにブレード１１０に装着されており、先端部は電源接続端子１２０の近傍まで延伸している。操作レバー１４０はたとえば角棒型の形状をしている。
【００２９】
作業者は、この突出した部分である摘み部に指を置いて操作レバー１４０に力を加えることによりブレード１１０を回動させ、負荷接続端子１３０と電源接続端子１２０との間の導電路の接続あるいは開放を切り替え、負荷への電力の供給や遮断を行なうことができる。
【００３０】
しかしながらこの場合、図３に示されるように、操作レバー１４０の先端部（摘み部）と、電源電圧が印加され、露出した電源接続端子１２０（例えば電源側ねじ１２２）との間が近接しているため、作業者は操作レバー１４０を指で直接操作する場合には、指が電源接続端子１２０に接触しないように注意を払いながら作業を行なう必要がある。
【００３１】
＝＝＝セクションスイッチ操作用アダプタの装着及び操作＝＝＝
次に、本実施形態に係るセクションスイッチ操作用アダプタ３００をセクションスイッチ（開閉器）１００に装着して使用する際の様子を図４、図５に示す。
【００３２】
図４に示すように、セクションスイッチ操作用アダプタ３００をセクションスイッチ（開閉器）１００に装着する場合には、セクションスイッチ１００の操作レバー１４０を、セクションスイッチ操作用アダプタ３００の操作レバー挟持部３１０の第１延伸部３１１と第２延伸部３１２とで挟み込むようにする。
【００３３】
具体的には、操作レバー挟持部３１０の第１延伸部３１１を、操作レバー１４０の電源接続端子１２０と対向する側の第１の面１４１に沿うように装着すると共に、操作レバー挟持部３１０の第２延伸部３１２を、操作レバー１４０の上記第１の面１４１とは反対側の第２の面１４２に沿うように装着する。
【００３４】
この状態で、第２延伸部３１２のヒンジ１３３とは反対側において突出する操作片３３０の先端に指を掛け、操作レバー１４０を電源接続端子１２０から遠ざける方向に操作片３３０に力を加えることにより、操作レバー１４０及びブレード１１０がヒンジ１３３を中心に回動し、図５に示すように、ブレード１１０とクリップ１２１との間を離間させることができる。
【００３５】
このとき、本実施形態に係るセクションスイッチ操作用アダプタ３００の操作片３３０は、連結部３２０から、電源接続端子１２０から遠ざかる方向（−Ｘ軸方向）に延出するように構成されているため、作業者の指と電源接続端子１２０との接触を防止することができる。
【００３６】
このため、電源接続端子１２０のような電源電圧が印加された充電部が露出したセクションスイッチ１００の操作を行なう場合であっても、安全に作業を行なうことが可能となる。
【００３７】
さらに操作片３３０は、先端部がヒンジ１３３から遠ざかる方向、つまりセクションスイッチ１００の操作方向（−Ｘ軸方向）に直交する方向（＋Ｚ軸方向）に屈曲している。
【００３８】
このような形態にすることにより、作業者がセクションスイッチ操作用アダプタ３００を用いて操作片３３０を手前側に引き倒す際に、指が操作片３３０から滑りにくくなるため操作が行ないやすくなり、作業性を向上させることができる。
【００３９】
また本実施形態に係るセクションスイッチ操作用アダプタ３００は、第２延伸部３１２の先端部が、第１延伸部３１１の先端部よりもヒンジ１３３に近接するように形成されている。
【００４０】
このため、操作レバー１４０に装着したセクションスイッチ操作用アダプタ３００を作業者が手前側に（図４、図５では時計回りに）引きだす場合に、作業者が操作片３３０に加えた力を確実に操作レバー１４０に伝達することが可能となる。これにより、セクションスイッチ操作用アダプタ３００を操作する際の操作片３３０のがたつきやはずれ等を防止し、作業性を向上させることが可能となる。
【００４１】
＝＝＝直立盤＝＝＝
上記のようなセクションスイッチ１００は、電源と負荷（電力使用機器）との間の電力供給路上に設置されるが、発電所や工場などでは、発電所や工場内で稼動している各電力使用機器を集中的に監視、制御するために中央制御室が設けられている場合がある。この場合、中央制御室内に設置されている直立盤の内部に各電力使用機器へのセクションスイッチ１００が集約して収納されている。
【００４２】
図６〜図８に、中央制御室内に設置されている直立盤５００の内部に、複数のセクションスイッチ１００が収納されている様子を示す。  
図６は、交流電源４１０を電力源として使用する負荷６１０と、交流電源４１０と、の間にセクションスイッチ１００が介在されている場合の回路図の例を示す。  
図７は、直流電源４２０を電力源として使用する負荷６２０と、直流電源４２０と、の間にセクションスイッチ１００が介在されている場合の回路図の例を示す。  
図８は、直立盤５００内に、複数のセクションスイッチ１００が隣接して配列されている様子を示す。
【００４３】
作業者は、セクションスイッチ１００を操作する場合には、まず直立盤５００の前面扉（不図示）を開け、直立盤５００内に整列する複数のセクションスイッチ１００の中から、操作対象のセクションスイッチ１００を見つけ出す。そして作業者は、該当するセクションスイッチ１００の操作レバー１４０にセクションスイッチ操作用アダプタ３００を装着し、手前側に引き倒す。
【００４４】
このようにセクションスイッチ操作用アダプタ３００を用いて作業を行なうことにより、作業者は、電源側ねじ１２２等のセクションスイッチ１００の充電部に触れることなく、安全に作業を行なうことができるようになる。
【００４５】
＝＝＝その他の実施形態＝＝＝
図８に示したように、直立盤５００内に複数のセクションスイッチ１００が隣接して配列されている場合に、セクションスイッチ１００を一つずつ操作していくと作業に時間が掛かる。特に、発電所や工場の定期点検時のように、数多くの電力使用機器への電力を遮断していかなければならない場合には、作業は長時間に及ぶことになる。
【００４６】
そのため、例えば図９に示すように、２つのセクションスイッチ操作用アダプタ３００Ａ、３００Ｂを、連結部３４０で連結してセクションスイッチ操作用アダプタ３００を構成することも可能である。
【００４７】
この場合、２つのセクションスイッチ操作用アダプタ３００Ａと３００Ｂとの間隔（Ｙ軸方向の間隔）は、図８に示したような直立盤５００内に隣接するセクションスイッチ１００の操作レバー１４０の間隔にあわせておくようにする。
【００４８】
このようにすることにより、隣り合う２つのセクションスイッチ１００に対する操作を一度の操作で行なえるため、作業時間を短縮することが可能となる。
【００４９】
例えば図７に示したように、直流電源４２０と負荷６２０との間に設けられているセクションスイッチ１００に対する操作を行なう場合には、ひとつの負荷６２０に対して正側及び負側に設けられている２つのセクションスイッチ１００を同時に操作することが可能となる。
【００５０】
また例えば図６に示したように、交流電源４１０と負荷６１０との間に設けられているセクションスイッチ１００に対する操作を行なう場合においても、ひとつの負荷６２０に対して複数設けられているセクションスイッチ１００を同時に操作することが可能となる。
【００５１】
あるいは、図１０に示すように、セクションスイッチ操作用アダプタ３００の操作片３３０の形状を工夫した形態も可能である。
【００５２】
図１０に示すセクションスイッチ操作用アダプタ３００の操作片３３０は、連結部３２０から、電源接続端子１２０から遠ざかるにつれてヒンジ（支軸）１３３からも遠ざかる斜め方向に延出している。
【００５３】
このように斜め方向に延出する形態にすることにより、作業者がセクションスイッチ操作用アダプタ３００を操作レバー１４０に装着して操作片３３０を手前側に引き倒す際に、操作片３３０と指との接触面積が増大し、操作片３３０が指にしっかりと引っ掛かるようになるため操作が行ないやすくなり、作業性を向上させることができる。
【００５４】
またさらに、図１１に示すように、セクションスイッチ操作用アダプタ３００の操作片３３０の形状を工夫した形態も可能である。
【００５５】
図１１に示すセクションスイッチ操作用アダプタ３００は、操作片３３０が、延出方向に沿って先端部に近づくほど、この延出方向に直交する方向の幅が太くなる部分を有するように構成されている。
【００５６】
このような形態とすることによって、作業者がセクションスイッチ操作用アダプタ３００を操作レバー１４０に装着して操作片３３０を手前側に引き倒す際に、指が操作片３３０から滑りにくくできるため操作が行ないやすくなり、作業性を向上させることができる。
【００５７】
さらに図１１に示すセクションスイッチ操作用アダプタ３００は、第２延伸部３１２の先端部に、少なくとも操作レバー１４０の第２の面１４２に対面する側に、面取り加工が施された面取り加工部３１３が形成されている。
【００５８】
面取り加工部３１３は、第２延伸部１３２の先端部に近づくほど操作レバー１４０の第２の面１４２から遠ざかるように形成された傾斜面である。
【００５９】
このような形態とすることによって、セクションスイッチ操作用アダプタ３００を操作レバー１４０に装着する際に、第２延伸部３１２の先端部を操作レバー１４０の第２の面１４２に沿ってスムースにすべらせるようにすることが可能となる。このため、セクションスイッチ操作用アダプタ３００を操作レバー１４０にスムースに装着することが可能となるため、作業性をより向上させることが可能となる。
【００６０】
なお上述したように、セクションスイッチ操作用アダプタ３００は絶縁性を有する例えばポリエチレンテレフタレート等の樹脂を素材として構成されるが、この場合、例えば所定の金型を用いて、図１２に示すように成型部材３５０を製造した上で、破線で示すようにカットすることで、セクションスイッチ操作用アダプタ３００を大量生産することも可能である。
【００６１】
このように製造することによって、低コストに数多くのセクションスイッチ操作用アダプタ３００を製造することが可能となる。
【００６２】
このことは、例えば大規模な工場や発電所内において莫大な数のセクションスイッチ１００が使用されているような場合に、それに応じた相当数のセクションスイッチ操作用アダプタ３００を準備及び配備する場合には特に効果が大きい。
【００６３】
またセクションスイッチ操作用アダプタ３００は、所定のストラップ等を装着した上で、直立盤５００内の所定位置に設けられたフック等にストラップを引っ掛けるようにして収納しておくようにすると良い。このようにしておけば、作業者は非作業時にセクションスイッチ操作用アダプタ３００を持ち歩く必要がなくなる上、セクションスイッチ操作用アダプタ３００の紛失も防止可能となる。
【００６４】
以上、本実施形態のセクションスイッチ操作用アダプタ３００について説明したが、本実施形態に係るセクションスイッチ操作用アダプタ３００によれば、充電部が露出したセクションスイッチ１００の操作を行なう場合であっても、充電部への接触を防ぎ、感電等が防止できるため、安全に作業を行なうことが可能となる。
【００６５】
また、充電部が露出したタイプのセクションスイッチ１００は、製造されてから相当の長い年月が経過している場合が多いため、操作レバー１４０も脆くなり破損しやすい状態になっていることがある。このようなセクションスイッチ１００に対して本実施形態のセクションスイッチ操作用アダプタ３００を用いることにより、操作レバー１４０の先端部だけでなく、第１の面１４１、第２の面１４２の両面から操作レバー１４０を挟み込むように保持した上で操作レバー１４０へ力を加えることで、操作レバー１４０に与える応力を分散させることができるため、操作レバー１４０の破損を防止することも可能となる。
【００６６】
なおこれらの実施の形態は、本発明の理解を容易にするためのものであり、本発明を限定して解釈するためのものではない。本発明は、その趣旨を逸脱することなく変更、改良され得るとともに、本発明にはその等価物も含まれる。
【符号の説明】
【００６７】
１００  セクションスイッチ（開閉器）
１１０  ブレード（導電板）
１２０  電源接続端子
１２１  クリップ
１２２  電源側ねじ
１２４  電源接続端子台
１３０  負荷接続端子
１３１  ヒンジクリップ
１３２  負荷側ねじ
１３３  ヒンジ
１３４  負荷接続端子台
１４０  操作レバー
１４１  第１の面
１４２  第２の面
２００  ケーブル
２１０  電源側ケーブル
２１１  電源側リング端子
２２０  負荷側ケーブル
２２１  負荷側リング端子
３００  セクションスイッチ操作用アダプタ（開閉器操作用アダプタ）
３１０  操作レバー挟持部
３１１  第１延伸部
３１２  第２延伸部
３１３  面取り加工部
３２０  連結部
３３０  操作片
３４０  連結部
３５０  成型部材
４００  電源
４１０  交流電源
４２０  直流電源
５００  直立盤
６００  負荷
６１０  交流負荷
６２０  直流負荷
【要約】
【課題】充電部が露出した開閉器の操作を行なう場合であっても安全に作業を行なう。
【解決手段】第１電極と、第２電極と、第１電極及び第２電極を接続する場合には第２電極に形成される支軸を中心に接点が第１電極と接するように回動し、第１電極及び第２電極を遮断する場合には支軸を中心に接点が第１電極から離れるように回動する導電板と、導電板の第１電極と対向する面とは反対側の面において摘み部が導電板の支軸とは反対側の先端よりも突出するように設けられる絶縁性の操作板と、を有する開閉器の操作板に装着され、摘み部を覆うように摘み部の第１電極に対向する面に沿って延伸する第１延伸部と、摘み部の第１電極とは反対側の面に沿って第１延伸部から連続して延伸する第２延伸部と、を有する操作板挟持部と、操作板を操作するために第２延伸部の支軸とは反対側において突出する操作片と、を有する。
【選択図】図１【図１】
0005475095.tif 000002
【図２Ａ】
0005475095.tif 000003
【図２Ｂ】
0005475095.tif 000004
【図２Ｃ】
0005475095.tif 000005
【図３】
0005475095.tif 000006
【図４】
0005475095.tif 000007
【図５】
0005475095.tif 000008
【図６】
0005475095.tif 000009
【図７】
0005475095.tif 000010
【図８】
0005475095.tif 000011
【図９】
0005475095.tif 000012
【図１０Ａ】
0005475095.tif 000013
【図１０Ｂ】
0005475095.tif 000014
【図１０Ｃ】
0005475095.tif 000015
【図１１Ａ】
0005475095.tif 000016
【図１１Ｂ】
0005475095.tif 000017
【図１１Ｃ】
0005475095.tif 000018
【図１２】
0005475095.tif 000019